(57)【特許請求の範囲】
【請求項１】
レジ袋内部を上下に仕切る所定の大きさを有する仕切り部材であって、その仕切り部材の両端に前記レジ袋の取っ手を挿入する挿入孔を備え、前記仕切り部材の挿入孔に前記レジ袋の取っ手を挿入して当該仕切り部材を取っ手の根元部分に取り付け、当該レジ袋内部の上部に商品を収納できる袋状の空間を形成することを特長とするレジ袋用仕切り部材。
【請求項２】
前記仕切り部材は、前記レジ袋内部を仕切る仕切り部と、その仕切り部の両端に形成される前記挿入孔を有する取付け部とからなることを特徴とする請求項１記載のレジ袋用仕切り部材。
【請求項３】
レジ袋内部を上下に仕切る所定の大きさを有する仕切り部材であって、その仕切り部材の両端に前記レジ袋の取っ手を挿入する挿入孔を備え、前記仕切り部材は、前記レジ袋内部を仕切る仕切り部と、その仕切り部の両端に形成される前記挿入孔を有する取付け部とからなり、前記取付け部に前記挿入穴を複数設け、前記レジ袋内部を仕切る位置を調整できるようにしたことを特長とするレジ袋用仕切り部材。
【請求項４】
前記仕切り部が前記レジ袋の開口部を塞ぐような大きさを有することを特徴とする請求項２又は請求項３記載のレジ袋用仕切り部材。
【請求項５】
前記挿入孔が円形もしくは楕円形であることを特徴とする請求項１乃至請求項４のうちいずれか一項記載のレジ袋用仕切り部材。
【請求項６】
請求項１乃至請求項５のうちいずれか一項記載のレジ袋用仕切り部材を備えることを特徴とするレジ袋。
【発明の詳細な説明】
【技術分野】
【０００１】
本発明は、スーパーマーケットやコンビニエンスストア等の小売店のレジで渡されるレジ袋を仕切るためのレジ袋用仕切り部材及びそれを備えるレジ袋に関する。
【背景技術】
【０００２】
スーパーマーケットやコンビニエンスストア等で買物を行い、レジで会計を終了すると、レジ係の店員から購入した商品を入れるレジ袋（買い物袋）を渡される。商品の購入者は、渡されたレジ袋に購入商品を入れて持ち帰る。
購入商品には、温かい弁当や冷凍食品、りんごや傷付き易いいちごなど様々な種類のものが含まれる場合がある。例えば、上例の温かい弁当と冷凍食品を購入した場合、これらの商品を一つのレジ袋に一緒に入れると、弁当が帰宅した時に冷たくなっているおそれがある。このような場合、レジ係の店員から商品を分けて持ち帰られるようレジ袋を複数枚受け取ることがある。
しかし、自然環境保護の観点から、近年レジ袋の消費を抑える傾向にある。商品を仕分けするためにレジ袋を消費することは好ましくなく、１枚のレジ袋で持ち帰えることが望ましい。
【０００３】
従来、上記要望に応える買い物袋やレジ袋が提供されている（特許文献１、２及び３）。
【特許文献１】特開２００６−２２３７９７号（図１）
【特許文献２】特開２００６−１３１２５０号（図２）
【特許文献３】特開２００６−１９８３３３号（図１〜５）
【０００４】
特許文献１の仕切り付き買い物袋は、袋本体の一部分を溶着等して仕切りを設け、袋内部を左右に分けたものである。しかし、袋内部に当該袋を左右に二分するように仕切りを入れると、仕切りがなければ入いる商品が入らなくなり、従来のレジ袋より袋の容量が実質的には減少するという欠点があった。
【０００５】
特許文献２のレジ袋は、袋内部に間仕切りを形成し、特許文献１と同様当該袋内部を左右に分割するようにしたものである。したがって、特許文献２のレジ袋もまた、特許文献１と同様、袋の容量が減少するという欠点があった。
【０００６】
特許文献３の買い物袋は、当該袋内部を上下に分ける仕切り部材を溶着等の取付け手段を用いて取り付けたものである。この買い物袋は、袋内部を上下に仕切るため、特許文献１、２とは異なり容量が減少することはない。しかし、上記仕切り部材は、溶着等の取付け手段を用いて買い物袋に予め取り付けられているため、仕切り部の位置を変更することができない。よって、下段の収納空間より大きな商品を購入した場合は、仕切り部材が使用できなくなるという欠点があった。
【発明の開示】
【発明が解決しようとする課題】
【０００７】
本発明は、上記欠点を解決するために、従来のレジ袋をそのまま使用でき、また、当該レジ袋を容易に上下に二分できるレジ袋用仕切り部材およびそれを備えるレジ袋を提供することを目的とするものである。
【課題を解決するための手段】
【０００８】
本発明のレジ袋用仕切り部材は、レジ袋内部を上下に仕切る所定の大きさを有する仕切り部材であって、その仕切り部材の両端に前記レジ袋の取っ手を挿入する挿入孔を備え、前記仕切り部材の挿入孔に前記レジ袋の取っ手を挿入して当該仕切り部材を取っ手の根元部分に取り付け、当該レジ袋内部の上部に商品を収納できる袋状の空間を形成するようにしたものである。
【０００９】
また、本発明のレジ袋用仕切り部材は、前記レジ袋内部を仕切る仕切り部と、その仕切り部の両端に形成される前記挿入孔を有する取付け部とからなるようにしたものである。
また、本発明のレジ袋用仕切り部材は、レジ袋内部を上下に仕切る所定の大きさを有する仕切り部材であって、その仕切り部材の両端に前記レジ袋の取っ手を挿入する挿入孔を備え、前記仕切り部材は、前記レジ袋内部を仕切る仕切り部と、その仕切り部の両端に形成される前記挿入孔を有する取付け部とからなり、前記取付け部に前記挿入穴を複数設け、前記レジ袋内部を仕切る位置を調整できるようにしたものである。
また、前記仕切り部が前記レジ袋の開口部を塞ぐような大きさを有するようにしたものである。
また、前記挿入孔が円形もしくは楕円形であるようにしたものである。
【００１０】
本発明のレジ袋は、上記レジ袋用仕切り部材を備えるようにしたものである。
【発明の効果】
【００１１】
本発明は、レジ袋内部を上下に二分するものである。これにより、例えば、温かい弁当と冷凍食品とを購入した場合であっても、弁当を上段に冷凍食品を下段に分けて入れることにより、両商品の接触を回避でき、温かいままの弁当を持ち帰ることができる。
【００１２】
本発明は、溶着等の取付け手段を用いることなく従来のレジ袋に仕切り部材を取り付けられるものである。そのため、仕切りが不要な場合は従来のレジ袋をそのまま使用することができる。
また、本発明は、仕切り部材の取付け部の長さを調整することができるものである。これにより、レジ袋下段の収納空間に入れる商品の大きさ（高さ）又は量などに応じてレジ袋の収納空間を二分する仕切り部の位置を自在に変更することができる。
【発明を実施するための最良の形態】
【００１３】
本発明は、溶着等の取付け手段を用いることなく従来のレジ袋内部を上下に二分することを実現するものである。
【実施例１】
【００１４】
本発明のレジ袋用仕切り部材を図に基づいて説明する。図１は、本発明のレジ袋用仕切り部材の一の実施形態を例示するもので、同図（ａ）はレジ袋用仕切り部材の平面図および底面図であり、同図（ｂ）は同図（ａ）のＡ−Ａ端面図である。図２は、従来のレジ袋に本発明のレジ袋用仕切り部材を取り付けた状態を表すレジ袋の内部構造図である。図３は、本発明のレジ袋用仕切り部材の使用状態図を表すレジ袋の内部構造図である。
図１のレジ袋用仕切り部材１０は、レジ袋内部を仕切る仕切り部１２と、その仕切り部１２の両端に形成される前記挿入孔１４を有する取付け部１６とからなるものである。図１において、仕切り部１２と取付け部１６は一連一体に形成されている。
【００１５】
仕切り部１２の形状は特定の形状に限定されるものではないが、好ましい形状は円形もしくは楕円形であり、より好ましくは楕円形である。また、仕切り部１２の広さは、レジ袋の開口部を塞ぐような大きさを有するのが好ましい。仕切り部１２は、溶着等の取付け手段を用いることなくレジ袋に着脱自在に取り付けられるため、仕切り部１２に載せた商品がレジ袋との間から落下するのを防止する必要ある。そのため、仕切り部１２は可能な限り広い方が好ましい。従来のレジ袋の多くは、その開口部が最も広い開口スペースを有する。仕切り部１２の大きさをレジ袋の開口部の大きさ（広さ）にすることによって、レジ袋用仕切り部材１０の仕切りの位置が変更されても商品を確実に保持することができる。
【００１６】
取付け部１６は、仕切り部１２の両端１２ａ、１２ｂに形成される所定の長さを有する矩形のものである。取付け部１６の先端部分には、円形又は楕円形の挿入孔１４が形成されている。前記レジ袋の取っ手に取付け部１６を取り付けた場合、仕切り部１２に載せる商品の重さによって挿入孔１４が破損するおそれがあるため、挿入孔１４は商品の重さに耐え得る強度を有する必要がある。そのため、挿入孔１４の形状は、円形又は楕円形が好ましい。ただし、商品の重さに耐え得る強度を有する挿入孔１４を設ける場合は、その形状は限定されるものではない。
【００１７】
図２に一点鎖線で表す従来のレジ袋１８は、上部に開口部があるポリ袋やビニール袋等であって、手に下げて持ち帰れるように取っ手１８ａ，１８ｂが開口部に形成されている。従来のレジ袋１８にレジ袋用仕切り部材１０を取り付ける場合は、図１（ａ）及び（ｂ）の挿入孔１４ａ，１４ｂにレジ袋１８の取っ手１８ａ，１８ｂをそれぞれ挿入し、取っ手１８ａ，１８ｂの根元部分に取り付ける。このとき、レジ袋用仕切り部材１０は取っ手１８ａ，１８ｂに支持され、レジ袋用仕切り部材１０によってレジ袋１８内部の上部に商品を収納できる袋状の空間２０が形成される。即ち、レジ袋用仕切り部材１０を取り付けることによって、従来のレジ袋１８の内部を上下に二分することができる。
また、図２のレジ袋用仕切り部材１０を備えるレジ袋２２は、本発明のレジ袋である。
【００１８】
レジ袋用仕切り部材１０及びレジ袋２２によると、例えば、温かい弁当と冷凍食品を購入した場合であっても、レジ袋２２の下段（空間２４）に冷凍食品を入れ、レジ袋２２の上段（空間２０）に弁当を入れることができる。冷凍食品と弁当を分離し、かつ、1枚のレジ袋２２に入れることができる。
【００１９】
レジ袋２２の取っ手１８ａ，１８ｂを手に下げた場合（図３）、取っ手１８ａと１８ｂとの間隔が狭まりる。同時にレジ袋２２の開口部も狭くなるため、レジ袋用仕切り部材１０の両端に形成される取付け部１６ａと１６ｂとが近づき、レジ袋用仕切り部材１０（又は仕切り部１２）に収納された商品（例えば、温かい弁当２６）はレジ袋用仕切り部材１０によって包まれ、レジ袋２２内の上部に保持される。これにより、温かい弁当２６を冷凍食品２８に接触させずに温かいまま持ち帰ることができる。
また、本発明のレジ袋用仕切り部材１０は溶着等の取付け手段を用いることなく従来のレジ袋１８に取り付けられるものであるため、袋内部の仕切りが不要な場合は、取っ手１８ａ，１８ｂにレジ袋用仕切り部材１０を取り付けず又は取り外すことにより従来のレジ袋をそのまま使用することができる。
【００２０】
次に、本発明のレジ袋用仕切り部材の他の実施形態を図に基づいて説明する。
図４のレジ袋用仕切り部材３０は、取付け部１６に複数の挿入孔１４を設けたものである。仕切り部１２側の挿入孔１４ｅ，１４ｆにレジ袋２２（図２）の取っ手１８ａ，１８ｂを挿入した場合、レジ袋用仕切り部材３０による仕切りはレジ袋２２の開口部に近い位置に設けられる。一方、取付け部１６の先端側の挿入孔１４ａ，１４ｂに取っ手１８ａ，１８ｂを挿入した場合、レジ袋用仕切り部材３０による仕切りはレジ袋２２の中央部に近い位置に設けることができる。このように、取付け部１６に複数の挿入孔１４を設けることによって取付け部１６の長さを調整することができる。これにより、レジ袋下段の収納空間に入れる商品の大きさ（高さ）又は量などに応じて、下段に収納される商品と上段に収納される商品とが接触しないようレジ袋の収納空間を二分する仕切り部の位置を自在に変更することができる。
【００２１】
図５のレジ袋用仕切り部材３２は、仕切り部１２と取付け部１６とを一体に形成したものである。これにより、本発明のレジ袋用仕切り部材の形状を単純化することができる。単純な形状とすることにより、素材の無駄を軽減でき製造コストを軽減することができる。また、レジ袋２２又は１８（図２）の開口部を塞ぐように取り付けることができ、商品を確実に包み保持することができる。
なお、図５に示すレジ袋用仕切り部材３２の形状は楕円形であるが、円形、矩形のものであってもよい。
【００２２】
本発明のレジ袋用仕切り部材の素材は従来のレジ袋と同一の素材とすることができるが、その素材に限定されるものではない。レジ袋用仕切り部材１０，３０，３２で包まれる商品の重さに耐え得る素材であれば足りる。
【００２３】
本発明の利用は、スーパーマーケットやコンビニエンスストア等にて渡されるポリ袋やビニール袋等のレジ袋に限定されるものではない。従来のレジ袋１８（図２）の形態として、前述した特許文献３の買い物袋のようなものもある。特許文献３の買い物袋は、その開口部に略環状の取っ手が設けられている。図６のレジ袋用仕切り部材３４は、矩形の仕切り部１２の両端（取付け部１６）に幅の広い挿入孔１４が形成されているものである。幅の広い挿入孔１４に前記特許文献３の買い物袋の略環状の取っ手を挿入することにより、特許文献３の買い物袋の内部を上下に二分することができる。
【図面の簡単な説明】
【００２４】
【図１】本発明のレジ袋用仕切り部材の一の実施形態を例示するもので、同図（ａ）はレジ袋用仕切り部材の平面図および底面図であり、同図（ｂ）は同図（ａ）のＡ−Ａ端面図である。
【図２】従来のレジ袋に本発明のレジ袋用仕切り部材を取り付けた状態を表すレジ袋の内部構造図である。
【図３】本発明のレジ袋用仕切り部材の使用状態図を表すレジ袋の内部構造図である。
【図４】本発明のレジ袋用仕切り部材の他の実施形態を表す図である。
【図５】本発明のレジ袋用仕切り部材の他の実施形態を表す図である。
【図６】本発明のレジ袋用仕切り部材の他の実施形態を表す図である。
【符号の説明】
【００２５】
１０  レジ袋用仕切り部材
１２  仕切り部
１４  挿入孔
１６  取付け部
１８ａ、１８ｂ  取っ手
２２  レジ袋
３０  レジ袋用仕切り部材
３２  レジ袋用仕切り部材
３４  レジ袋用仕切り部材
【要約】
【課題】  従来のレジ袋をそのまま使用でき、また、当該レジ袋を容易に上下に二分できるレジ袋用仕切り部材およびそれを備えるレジ袋を提供する。
【解決手段】  レジ袋用仕切り部材１０は、レジ袋内部を仕切る仕切り部１２と、その仕切り部１２の両端に形成される前記挿入孔１４を有する取付け部１６とからなる。従来のレジ袋にレジ袋用仕切り部材１０を取り付ける場合は、前記挿入孔１４ａ，１４ｂにレジ袋の取っ手をそれぞれ挿入し、取っ手の根元部分に取付け部１６を取り付ける。これにより、従来のレジ袋の内部を上下に二分することができる。
【選択図】  図１【図１】
0004219394.tif 000002
【図２】
0004219394.tif 000003
【図３】
0004219394.tif 000004
【図４】
0004219394.tif 000005
【図５】
0004219394.tif 000006
【図６】
0004219394.tif 000007